(57)【特許請求の範囲】
【請求項１】
家具の引き戸をスムーズに開閉すべく設けられる当該引き戸のための下レールの取付構造において、
前記下レールを前記家具の下枠の前端面に嵌め込んで当該下枠に直接取り付けし、又は前記下枠の前端面に配置された支持体に嵌め込んで当該下枠に間接的に取り付けする一方、前記下枠の両側端面にそれぞれ立設される側板に前記下レールに立設されたボスを嵌め差し込んで取り付けしてなることを特徴とする家具用引き戸の下レール取付構造。
【請求項２】
前記下レールを前記下枠に直接取り付けする場合、前記下枠の前端面に断面視凹溝状の受け部を設ける一方、前記下レールに断面視略ノコ刃状をなす突起部を設け、この突起部を前記受け部に嵌め込んで取り付けることを特徴とする請求項１に記載の家具用引き戸の下レール取付構造。
【請求項３】
前記下レールを前記下枠に間接的に取り付けする場合、前記下枠の前端面に前記支持体をビスネジで固定して配置し、この支持体に断面視扁平なフック状のアーム部を当該支持体の中心軸に対称に成形する一方、前記下レールに断面視扁平なＣ状の中空部が形成されるようにチャンバ部を成形し、このチャンバ部の中空部に前記アーム部を嵌め込んで取り付けることを特徴とする請求項１に記載の家具用引き戸の下レール取付構造。
【発明の詳細な説明】
【技術分野】
【０００１】
本発明は、食器棚や書籍棚などのような家具の引き戸をスムーズに開閉すべく設けられる当該引き戸のための下レールの取付構造に関するものである。
【背景技術】
【０００２】
家具における引き戸のために下レールが設けられるが、その下レールの取付構造には種々のものがある（特許文献１，２）。
例えば図１１に示すように、特許文献１の食品棚用のレール部材１００における取付構造としては、レール部材取付部１００ａが、食器棚本体側中間部分の中板１０１の前端部１０１ａの前面に当接される当接面である縦壁部１０２と、この縦壁部１０２の上端から中板１０１の前端部１０１ａの上面側に延びて当接される当接面である上片部１０３とからなり、上片部１０３の長手方向所定の位置には、この中板１０１に対してビスネジ１０４を挿入して螺合締結するビス穴１０５が設けられる構造をなしている。
但し、符号１０６は引戸である。
【０００３】
また、例えば図１２に示すように、特許文献２の家具部材における引き戸用ガイドレール（但し、このガイドレールは家具部材の上方に取り付けられる、所謂上レールである。）の取付構造としては、このガイドレール２００が、基礎壁２０１と、この基礎壁２０１の下部に連設された、案内溝２０２ａを有する下部壁２０２と、基礎壁２０１の上部に連設された上部壁２０３とを有している。また、天板２０４の前端部に前端面に開口した前端面の長手方向に沿うねじガイド溝２０５が形成され、このねじガイド溝２０５の幅がガイドレール２００を固定するねじ２０６のねじ軸部２０７の先端部２０７ａのみが嵌る幅とされる一方、上記基礎壁２０１には、長手方向に所定間隔で前後方向に貫通する貫通孔２０８が形成されている。そして、このようなガイドレール２００においては、このガイドレール２００の基礎壁２０１を天板２０４の前端面に当てがい、その後、貫通孔２０８及びねじガイド溝２０５を通じて天板２０４にねじ２０６をねじ嵌める構造が採られている。
但し、符号２０９は引き戸である。
【０００４】
しかしながら、上述した特許文献１の食品棚用のレール部材における取付構造は、レール部材１００が、食器棚本体側中間部分の中板１０１に、当該レール部材１００の上片部１０３の長手方向所定の位置に設けられたビス穴１０５を挿通し、この実施例ではこの中板１０１の下部に嵌装固定されたスリーブ部材１０７に螺着するビスネジ１０４によって取り付けられる構造をなしており、このような構造においては、レール部材を取り付ける場合、短時間で取付作業完了とはならず少なからず時間を要してしまうという不具合がある。しかも、取付金具としてのビスネジが外観されてしまう構造では、意匠を重んじる家具にあっては見栄えや美感の点から好ましいとは言えない。
【０００５】
また、特許文献２の家具部材における引き戸用ガイドレールの取付構造は、当該ガイドレール２００の基礎壁２０１を家具部材の天板２０４に、基礎壁２０１の貫通孔２０８及び天板２０４のねじガイド溝２０５を通じてねじ２０６をねじ込むことによって取り付けられる構造をなしており、このような構造においては、特許文献１の取付構造と同様に、ガイドレールを取り付ける場合、短時間で取付作業完了とはならず少なからず時間を要してしまうという不具合が生ずる。また、ねじが外観されてしまうと、特許文献１の取付構造と同様に、見栄えや美感の点から好ましいとは言えない。
【特許文献１】特開２０１２−１６７５３４（第５頁、図３）
【特許文献２】特開２００４−３３７４８７（第３頁、図２）
【発明の開示】
【発明が解決しようとする課題】
【０００６】
解決しようとする問題点は、家具において引き戸のための下レールを取り付ける場合に、ビスネジなどの固定手段を用いず短時間で取付作業を完了させることができる取付構造とし、それと同時に、従来品と比較して外観上、見栄えや美感の点で優れたものとする点である。
【課題を解決するための手段】
【０００７】
本発明の請求項１に係る家具用引き戸の下レール取付構造は、家具の引き戸をスムーズに開閉すべく設けられる当該引き戸のための下レールの取付構造において、前記下レールを前記家具の下枠の前端面に嵌め込んで当該下枠に直接取り付けし、又は前記下枠の前端面に配置された支持体に嵌め込んで当該下枠に間接的に取り付けする一方、前記下枠の両側端面にそれぞれ立設される側板に前記下レールに立設されたボスを嵌め差し込んで取り付ける構造を採っており、ビスネジなどをねじ込んで取り付ける構造ではないために短時間で取付作業を完了させることができ、且つ、下レールを家具の下枠及び側板に取り付ける構造のために強固な取付が可能になることに加え、ビスネジなどを用いていないため従来品と比較して外観上、見栄えや美感の点で優れたものとすることができる。
ところで、この取付構造は、下レールに代えて、家具の上枠や上記側板に取り付けられる上レールに適用することも可能であることはもちろんである。
【０００８】
本発明の請求項２に係る家具用引き戸の下レール取付構造において、前記下レールを前記下枠に直接取り付けする場合のより具体的な形態として、前記下枠の前端面に断面視凹溝状の受け部を設ける一方、前記下レールに断面視略ノコ刃状をなす突起部を設け、この突起部を前記受け部に嵌め込んで取り付ける構造にする。これにより、短時間で取付作業を完了させることができ、しかも、見栄えや美感の点で優れたものにできる。
【０００９】
本発明の請求項３に係る家具用引き戸の下レール取付構造において、前記下レールを前記下枠に間接的に取り付けする場合のより具体的な形態として、前記下枠の前端面に前記支持体をビスネジで固定して配置し、この支持体に断面視扁平なフック状のアーム部を当該支持体の中心軸に対称に成形する一方、前記下レールに断面視扁平なＣ状の中空部が形成されるようにチャンバ部を成形し、このチャンバ部の中空部に前記アーム部を嵌め込んで取り付ける構造にする。これにより、支持体をビスネジで固定するための時間を要してしまうが、短時間で取付作業を完了させることができ、しかも、見栄えや美感の点で優れたものにできる。
【発明の効果】
【００１０】
本発明の家具用引き戸の下レール取付構造は、ビスネジなどをねじ込んで取り付ける構造ではないため短時間で取付作業を完了させることができ、且つ、下レールを家具の下枠及び側板に取り付ける構造のため強固な取付が可能になることに加え、ビスネジなどを用いていないため従来品と比較して外観上、見栄えや美感の点で優れたものとすることができる利点がある。
【発明を実施するための最良の形態】
【００１１】
本発明の第１の実施の形態に係る家具用引き戸の下レール取付構造を図１〜５を参照して説明する。
本実施の形態に係る下レール取付構造は、図１，２に示すように、下レール１を収納箱（家具）２の下枠３の前端面３ａ（図４参照）に直接嵌め込むなどして取り付けるようにしたものである。
まず、収納箱２は、同図に示すように、板状の下枠３、上枠４、及び側板５，６からなる外観視直方体形状をなし、この直方体形状の内部空間をその中央で仕切る方立７が側板５，６に対面する態様で立設されてなるもので、下レール１は、後に詳述するように、収納箱２を構成する下枠３の前端面３ａに当該下枠３の長手方向（図１中の矢印方向、以下、左右方向という。）に渡って設けられた受け部３ａ１に嵌め込むなどして取り付けられる。
【００１２】
この下レール１は、図１〜４に示すように、例えばアルミ或いは樹脂製のフレーム部材で構成される断面略長方形状で、且つ、左右方向に長尺な骨組構造部材であり、この骨組構造部材の上部フレーム１ａに引き戸のスライダー部（図示せず）が摺動する断面Ｖ字状の２つの摺動路１ａ１が適宜隔てて形成され、これら摺動路１ａ１を隔ててほぼ中央位置に、この骨組構造部材の上部フレーム１ａと下部フレーム１ｂとを架け渡す態様で装架フレーム１ｃが形成されている。そして、この装架フレーム１ｃの略中央部がＣリング状のボス係止部１ｃ１として形成されており、したがって、この下レール１の左右方向に渡って、ボス係止部１ｃ１が形成された装架フレーム１ｃを介して上部フレーム１ａと下部フレーム１ｂとが架け渡される態様となる。
【００１３】
このような下レール１のボス係止部１ｃ１に、図２，３に示すように、ボス８の基部８ｂが、例えば圧入される一方、ボス８の頭部８ａが上記側板５の、下枠３の側端面３ｂに対向する面側に設けられた係止孔５ａ（側板６の方であれば、側板６の、下枠３の側端面（図示せず）に対向する面側に設けられた係止孔６ａ）に嵌め差し込まれるようになっている。
即ち、ボス８は、外観視ホースニップルのホース接続部に類似する形状をなす頭部８ａと、この頭部８ａに連設された円筒状をなす基部８ｂとから構成され、下レール１の、側板５及び側板６への取り付けに際しては（このとき、下レール１は収納箱２の下枠３に取り付けられている。）、予め上記ボス係止部１ｃ１にボス８の基部８ｂを圧入して当該ボスの頭部８ａを突設させておき、しかる後、当該ボス８の頭部８ａを上記係止孔５ａに嵌め差し込めばよい。
【００１４】
そして、図４に示すように、下レール１の、当該下レール１が取り付けられる収納箱２の下枠３の前端面３ａに面する側には取付フレーム１ｄが形成され、この取付フレーム１ｄの略中央に、この下レール１の左右方向に渡って、且つ、上記前端面３ａ側に突出する態様で、その外側辺をノコ刃状に成形するとともにその中央部を中空に成形してなる断面視略コ字形状の突起部１ｄ１が突設されている。更に、この取付フレーム１ｄの上端には小鍔１ｄ２が、及び下端には大鍔１ｄ３が突起部１ｄ１と同一方向にそれぞれ突設されている。そして、図４（Ａ）〜図４（Ｂ）に示すように、下レール１の、下枠３の前端面３ａへの取付に際しては、取付フレーム１ｄの突起部１ｄ１が下枠３の前端面３ａに設けられた断面視凹溝状の受け部３ａ１に嵌め込まれるとともに、取付フレーム１ｄの小鍔１ｄ２及び大鍔１ｄ３によって下枠３が把持される態様となる。このため、下レール１の取付フレーム１ｄと下枠３の前端面３ａとに隙間が生ずるように場合にはこれの目隠しになるので美感が損なわれなくて済む効果が得られる。尚、小鍔１ｄ２が大鍔１ｄ３に比べ短く形成されているのは、下レール１の取り付けに際しての方立７との干渉防止のためである。
【００１５】
結局、このような下レール１を収納箱２の下枠３の前端面３ａに直接取り付ける場合においては、最初に、図４（Ａ）に示すように下枠３の前端面３ａに対して取付フレーム１ｄの突起部１ｄ１を対峙させておき、しかる後、図４（Ｂ）に示すように上記受け部３ａ１に上記突起部１ｄ１を嵌め込めばよい。この嵌め込みのしかたは、下枠３の前端面３ａに対峙する方向から、或いは、側板５の側又は側板６の側からスライドさせて受け部３ａ１に突起部１ｄ１を嵌め込んでもよい。嵌め込み終えると、下枠３は取付フレーム１ｄの小鍔１ｄ２及び大鍔１ｄ３によって把持される態様となる。しかる後、側板５の係止孔５ａに下レール１に圧入されたボス８の頭部８ａを嵌め差し込む（側板６の係止孔６ａにもボス８の頭部８ａを嵌め差し込む）。これら受け部３ａ１への突起部１ｄ１の嵌め込み、及び係止孔５ａ，６ａへの頭部８ａの嵌め差し込みを短時間で行えるので、短時間で取付作業を完了させることができ、しかも、ビスネジなどを用いていないため従来品と比較して外観上、見栄えや美感の点で優れたものとなる。更に、これら受け部３ａ１への突起部１ｄ１の嵌め込み及び係止孔５ａ，６ａへの頭部８ａの嵌め差し込みにより、即ち、下レール１の、下枠３及び側板５，６への取り付けにより、当該下レール１を収納箱２に強固に取り付けることができる。
【００１６】
ここで、下枠３に下レール１を取り付ける場合、受け部３ａ１に突起部１ｄ１を嵌め込めばよいとしたが、この具体的な嵌め込みによる固定方法としては、突起部１ｄ１の受け部３ａ１への圧入による方法、或いは突起部１ｄ１の弾性的性質を利用した受け部３ａ１内での拡開による方法、或いはまた接着剤によって突起部１ｄ１を受け部３ａ１内に固着させる方法などがある。
【００１７】
ところで、上述した下レール１の突起部１ｄ１は、その中央部が中空に成形されてなるものであったが、突起部１ｄ１に代えて図５に示すような、その中央部が中実に成形された突起部１ｅ１とし、この突起部１ｅ１の強度を向上させるようにしてもよい。尚、上述した下レール１の取付フレーム１ｄには小鍔１ｄ２が設けられていたが、突起部１ｅ１が突設された取付フレーム１ｅにはこれに相当する鍔が設けられていない。これは美感が損なわれない限り設けるには及ばないからである。
【００１８】
次に、本発明の第２の実施の形態に係る家具用引き戸の下レール取付構造を図６〜１０を参照して説明する。図６〜１０において、図１〜５中の構成要素と同一の構成要素には同一の番号を付し、その説明は割愛する。
本実施の形態に係る下レール取付構造は、図６，７に示すように、下レール１０を収納箱２の下枠３の前端面３ａに間接的に取り付けるようにしたものである。即ち、下枠３の前端面３ａに支持体１１を配置しておき、この支持体１１に下レール１０を嵌め込むなどして取り付けるようにしたものである。尚、図６，７では、上枠４や側板５，６などは省略されている。
【００１９】
この支持体１１は、例えばアルミ或いは樹脂製のフレーム部材で構成される、図６中の矢印方向、即ち、左右方向に下枠３と同長の長尺な型部材で、その断面形状は、図８に示すように、扁平なフック状のアーム部１１ａが当該支持体１１の中心軸に対称に成形されてなり、そして、この中心軸を孔芯とする下記ビスネジ１２のための貫通孔１１ｂ（図７参照）が、本実施の形態では、等間隔に５つ設けられている。このような支持体１１は、下枠３の前端面３ａに、上記貫通孔１１ｂを挿通する５本のビスネジ１２で取り付けられる。したがって、下レール１０の取り付けに際しては、支持体１１は、予め下枠３の前端面３ａに取り付けられている。
【００２０】
下レール１０は、上記下レール１と同様な、例えばアルミ或いは樹脂製のフレーム部材で構成される、図６中の矢印方向、即ち、左右方向に下枠３と同長の、したがって、支持体１１と同長の長尺な型部材であるが、その断面形状は、図８に示すように、概略、上記下レール１とはその装架フレーム１ｃ及び取付フレーム１ｄのところが異なっている。
即ち、その断面形状は、図８に示すように、上記取付フレーム１ｄの代わりに、断面視扁平なＣ状の中空部１０ｄ１であって、当該中空部１０ｄ１に外方に臨む開口口を形成してなるチャンバ部１０ｄが成形される形状をなし、更に、このチャンバ部１０ｄを構成する外枠フレームのうち上部外枠フレーム１０ｄ２及び下部外枠フレーム１０ｄ３が当該チャンバ部１０ｄの輪郭からいくらか突設される形状をなしている。これにより、下レール１０の、収納箱２の下枠３の前端面３ａへの取付に際しては、同図（Ｂ）に示すように、上記アーム部１１ａがチャンバ部１０ｄの中空部１０ｄ１に嵌め込まれるとともに、上部外枠フレーム１０ｄ２が、このチャンバ部１０ｄと下枠３の前端面３ａとの隙間を目隠しして美感が損なわれないようにすべく下枠３の上面に係止される。
【００２１】
また、その断面形状は、上記装架フレーム１ｃの代わりに、上部フレーム１ａに対峙する下部フレーム１０ｂ（下部フレーム１ｂと若干形状を異にする。）の、当該下部フレーム１０ｂの中央位置よりチャンバ部１０ｄ寄りの位置にＣリング状のボス係止部１ｃ１が、左右方向に渡って形成される形状をなしている。
そして、このような下レール１０のボス係止部１ｃ１には、図６，７に示すように、ボス８の基部８ｂが、例えば圧入され、ボス８の頭部８ａが上記側板５に設けられた係止孔５ａ（側板６の方であれば、側板６に設けられた係止孔６ａ）に嵌め差し込まれるようになっている。尚、下レール１０の、側板５及び側板６への取り付け方は、上述した下レール１の、側板５及び側板６への取り付け方と全く同様である。
【００２２】
このような下レール１０を収納箱２の下枠３の前端面３ａに間接的に取り付ける場合においては、まず最初に、図８（Ａ）に示すように支持体１１を下枠３の前端面３ａにビスネジ１２で取り付け、この支持体１１のアーム部１１ａに対してチャンバ部１０ｄの、外方に開口する中空部１０ｄ１を対峙させておき、しかる後、図８（Ｂ）に示すように上記アーム部１１ａをチャンバ部１０ｄの中空部１０ｄ１に嵌め込めばよい。この嵌め込みのしかたは、支持体１１に対峙する中空部１０ｄ１の開口口から嵌め込めばよいが、場合によっては、側板５の側から又は側板６の側からスライドさせてアーム部１１ａを中空部１０ｄ１に嵌め込んでもよい。嵌め込み終えると、上部外枠フレーム１０ｄ２が下枠３の上面に係止される態様となる。しかる後、側板５の係止孔５ａに下レール１０に圧入されたボス８の頭部８ａを嵌め差し込む（側板６の係止孔６ａにもボス８の頭部８ａを嵌め差し込む）。これらチャンバ部１０ｄの中空部１０ｄ１へのアーム部１１ａの嵌め込み、及び係止孔５ａ，６ａへの頭部８ａの嵌め差し込みを短時間で行えるので、短時間で取付作業を完了させることができ、しかも、ビスネジなどを用いていないため従来品と比較して外観上、見栄えや美感の点で優れたものとなる。更に、これらチャンバ部１０ｄの中空部１０ｄ１へのアーム部１１ａの嵌め込み及び係止孔５ａ，６ａへの頭部８ａの嵌め差し込みにより、即ち、下レール１０の、下枠３及び側板５，６への取り付けにより、当該下レール１０を収納箱２に強固に取り付けることができる。
【００２３】
ここで、支持体１１に下レール１０を取り付ける場合、アーム部１１ａをチャンバ部１０ｄの中空部１０ｄ１に嵌め込めばよいとしたが、この具体的な嵌め込みによる固定方法としては、アーム部１１ａの中空部１０ｄ１への圧入による方法、或いはアーム部１１ａの弾性的性質を利用した受け部３ａ１に対する押し拡げによる方法、或いはまた接着剤によってアーム部１１ａを中空部１０ｄ１内に固着させる方法などがある。
【００２４】
ところで、上記実施の形態では、支持体１１に長尺な型部材を用いた場合を説明したが、例えば図９に示すように、この支持体１１を適宜な大きさの小片１３ａ〜１３ｅに分割・縮尺し、これらの小片１３ａ〜１３ｅを下枠３の前端面３ａにビスネジ１２でそれぞれ取り付けるようにしたものであってもよい。
【００２５】
また、上記実施の形態では、下レール取付構造として下レール１，１０に適用した場合を説明したが、かかる取付構造は、家具の上枠や側板に取り付けられる上レールに適用することも可能であり、例えば図１０では、本発明の取付構造が、下枠３に取り付けられる下レール１のみならず、上枠４に取り付けられる上レール１１にも適用されている。尚、上レール１１は下レール１と同じものである。
【産業上の利用可能性】
【００２６】
本発明の家具用引き戸の下レール取付構造は、ビスネジなどをねじ込んで取り付ける構造ではないため短時間で取付作業を完了させることができ、且つ、下レールを家具の下枠及び側板に取り付ける構造のため強固な取付が可能になることに加え、ビスネジなどを用いていないため従来品と比較して外観上、見栄えや美感の点で優れたものとすることができ、既存の取付構造に比べ利用価値の高いものと言える。
【図面の簡単な説明】
【００２７】
【図１】本実施の第１の形態に係る家具用引き戸の下レール取付構造を示す外観斜視図である。
【図２】図１の部分分解斜視図である。
【図３】図２の一部の拡大図である。
【図４】図１の取付構造おいて下レールを嵌め込むときの説明図である。
【図５】図１の下レールとは一部形状が異なる下レールを嵌め込むときの説明図である。
【図６】本実施の第２の形態に係る家具用引き戸の下レール取付構造を示す部分分解斜視図である。
【図７】図６の一部の拡大図である。
【図８】図６の取付構造おいて下レールを嵌め込むときの説明図である。
【図９】図６の支持体とは異なる支持体を用いた取付構造を示す分解斜視図である。
【図１０】図１の取付構造を上レールに対しても適用した場合の取り付け状態図である。
【図１１】従来の下レール取付構造を示す部分断面図である。
【図１２】従来の上レール取付構造を示す断面図である。
【符号の説明】
【００２８】
１，１０              下レール
１ｄ１                突起部
２                    収納箱（家具）
３                    下枠
３ａ                  前端面
３ａ１                受け部
３ｂ                  側端面
５，６                側板
８                    ボス
１０ｄ                チャンバ部
１０ｄ１              中空部
１１                  支持体
１１ａ                アーム部
１２                  ビスネジ
【図１】
0006410260.tif 000002
【図２】
0006410260.tif 000003
【図３】
0006410260.tif 000004
【図４】
0006410260.tif 000005
【図５】
0006410260.tif 000006
【図６】
0006410260.tif 000007
【図７】
0006410260.tif 000008
【図８】
0006410260.tif 000009
【図９】
0006410260.tif 000010
【図１０】
0006410260.tif 000011
【図１１】
0006410260.tif 000012
【図１２】
0006410260.tif 000013